(57)【要約】  【課題】時分割多重通信を行う同軸伝送システムでは、送信権管理装置と各通信装置間の伝送路状態の悪化によって、各通信装置間のデータ通信が遅延することがあった。  【解決手段】他の通信装置１１２との間の伝送路状態を検査する伝送路状態検査部１４３、その伝送路状態検査結果を保持する伝送路状態保持部１４５、伝送路状態検査結果を送信権管理部決定装置１２へ送信させる伝送路情報送信制御部１４４、各通信装置間の送受信時間帯を管理し割り当てる送信権管理部１４９を有する通信装置１１１と、各通信装置から伝送路状態検査結果を受信する伝送路情報受信部１５１、伝送路状態検査結果に基づいて送信権管理部１４９を動作させる一の通信装置１１１を決定する送信権管理部決定部１５４、決定した一の通信装置１１１の情報を全通信装置１１１、１１２に送信する送信権管理部情報送信部１５２を有する送信権管理部決定装置１２と、伝送路１３とを備える。【選択図】図１
2006013897.tif 000002
【特許請求の範囲】
【請求項１】
送信部、受信部、および各通信装置間で信号を送受信する時間帯を管理し割り当てる送信権管理部を有する複数の通信装置と、
前記複数の通信装置のうち、前記送信権管理部を動作させる一の通信装置を決定する送信権管理部決定装置と、
前記複数の通信装置および前記送信権管理部決定装置のそれぞれを互いに通信させる伝送路とを備え、
前記複数の通信装置のそれぞれは、
前記送信部および前記受信部を利用して、それぞれの他の通信装置との間の伝送路状態を検査する伝送路状態検査部と、
前記伝送路状態検査部で検査した伝送路状態検査結果を保持する伝送路状態保持部と、
前記伝送路状態検査結果を、前記送信部を利用して前記送信権管理部決定装置へ送信させる、伝送路情報送信制御部とを有し、
前記送信権管理部決定装置は、
前記複数の通信装置のそれぞれから、伝送路状態検査結果を受信する、伝送路情報受信部と、
前記伝送路状態検査結果に基づいて、前記送信権管理部を動作させる前記一の通信装置を決定する送信権管理部決定部と、
前記決定した一の通信装置の情報を、全ての通信装置に送信する送信権管理部情報送信部とを有する、伝送システム。
【請求項２】
前記伝送路情報送信制御部は、前記伝送路状態検査結果を前記送信権管理部決定装置へ送信させる際に、他の通信装置へも送信させ、
前記決定した一の通信装置の送信権管理部は、各通信装置から受信した伝送路状態検査結果を利用して、各通信装置間で信号を送受信する時間帯を割り当てる、請求項１に記載の伝送システム。
【請求項３】
前記送信権管理部情報送信部は、前記複数の通信装置のそれぞれから受信した伝送路状態検査結果を前記決定した一の通信装置に送信し、
前記決定した一の通信装置の送信権管理部は、前記送信権管理部情報送信部から受信した前記伝送路状態検査結果を利用して、各通信装置間で信号を送受信する時間帯を割り当てる、請求項１に記載の伝送システム。
【請求項４】
前記複数の通信装置のうちの任意の一の通信装置が、前記送信権管理部決定装置を兼ねている、請求項１に記載の伝送システム。
【請求項５】
前記通信装置に電源が供給された際に、
前記伝送路状態検査部は、前記伝送路状態を検査し、
前記伝送路情報送信制御部は、その伝送路状態検査結果を前記送信権管理部決定装置へ送信させ、
前記送信権管理部決定部は、前記送信権管理部を動作させる前記一の通信装置を決定し直す、請求項１に記載の伝送システム。
【請求項６】
前記伝送路状態検査部は、所定の時間毎に、前記伝送路状態を検査し、
前記伝送路情報送信制御部は、その後、その伝送路状態検査結果を前記送信権管理部決定装置へ送信させ、
前記送信権管理部決定部は、前記送信権管理部を動作させる前記一の通信装置を決定し直す、請求項１に記載の伝送システム。
【請求項７】
前記複数の通信装置は、それぞれ、他の通信装置との情報伝送中における伝送エラー量を測定する伝送エラー測定部をさらに有し、
前記伝送路状態検査部は、前記送信権管理部が動作している通信装置との間の伝送エラー量が、予め設定された伝送エラー量を超えた際に、前記伝送路状態を検査し、
前記伝送路情報送信制御部は、その伝送路状態検査結果を前記送信権管理部決定装置へ送信させ、
前記送信権管理部決定部は、前記送信権管理部を動作させる前記一の通信装置を決定し直す、請求項１に記載の伝送システム。
【請求項８】
前記それぞれの他の通信装置との間の伝送路状態は、それぞれの他の通信装置との間の通信速度であり、
前記送信権管理部決定部は、他のそれぞれの通信装置との間の通信速度の合計値が最も大きい通信装置を、前記送信権管理部を動作させる前記一の通信装置と決定する、請求項１に記載の伝送システム。
【請求項９】
前記それぞれの他の通信装置との間の伝送路状態は、それぞれの他の通信装置との間の通信速度であり、
前記送信権管理部決定部は、各通信装置における、他のそれぞれの通信装置との間の通信速度のうちの最も遅い通信速度同士を比較し、その最も遅い通信速度の値が最も大きい通信装置を、前記送信権管理部を動作させる前記一の通信装置と決定する、請求項１に記載の伝送システム。
【請求項１０】
送信部、受信部、および各通信装置間で信号を送受信する時間帯を管理し割り当てる送信権管理部を有する複数の通信装置と、
前記複数の通信装置のそれぞれを互いに通信させる伝送路とを備え、
前記複数の通信装置のそれぞれは、
前記送信部および前記受信部を利用して、それぞれの他の通信装置との間の伝送路状態を検査する伝送路状態検査部と、
前記伝送路状態検査部で検査した伝送路状態検査結果を保持する伝送路状態保持部と、
前記伝送路状態検査結果を、前記送信部を利用して他のすべての通信装置へ送信させる、伝送路情報送信制御部と、
他のすべての通信装置のそれぞれから、伝送路状態検査結果を前記受信部を利用して取得する伝送路情報取得部と、
いずれの通信装置においても同一の基準で、前記取得した伝送路状態検査結果に基づいて、いずれの通信装置の送信権管理部が動作するかを決定する送信権管理部決定部とを有する、伝送システム。
【請求項１１】
伝送路に接続される複数の通信装置のそれぞれが、他の通信装置との間の伝送路状態を検査するステップと、
前記複数の通信装置のそれぞれが、前記伝送路状態を検査した伝送路状態検査結果を、前記伝送路に接続される送信権管理部決定装置へ送信するステップと、
前記送信権管理部決定装置が、前記複数の通信装置のそれぞれから受信した前記伝送路状態検査結果に基づいて、前記複数の通信装置のうち、各通信装置間で信号を送受信する時間帯を割り当てさせる一の通信装置を決定するステップと、
前記送信権管理部決定装置が、前記決定した一の通信装置の情報を、全ての通信装置に送信するステップとを備えた、伝送システムの伝送制御方法。
【請求項１２】
請求項１に記載の伝送システムの、通信装置。
【請求項１３】
請求項１に記載の伝送システムの、送信権管理部決定装置。
【請求項１４】
請求項１に記載の伝送システムの通信装置の、
前記送信部、
前記受信部、
各通信装置間で信号を送受信する時間帯を管理し割り当てる前記送信権管理部、
それぞれの他の通信装置との間の伝送路状態を検査する前記伝送路状態検査部、
前記伝送路状態検査部で検査した伝送路状態検査結果を保持する前記伝送路状態保持部、
前記伝送路状態検査結果を前記送信権管理部決定装置へ送信させる前記伝送路情報送信制御部、としてコンピュータを機能させるためのプログラム。
【請求項１５】
請求項１４に記載のプログラムを担持した記録媒体であって、コンピュータで利用可能な記録媒体。
【請求項１６】
請求項１に記載の伝送システムの送信権管理部決定装置の、
前記複数の通信装置のそれぞれから伝送路状態検査結果を受信する前記伝送路情報受信部、
前記伝送路状態検査結果に基づいて前記送信権管理部を動作させる前記一の通信装置を決定する前記送信権管理部決定部、
前記決定した一の通信装置の情報を全ての通信装置に送信する前記送信権管理部情報送信部、としてコンピュータを機能させるためのプログラム。
【請求項１７】
請求項１６に記載のプログラムを担持した記録媒体であって、コンピュータで利用可能な記録媒体。
【発明の詳細な説明】
【技術分野】
【０００１】
本発明は、デマンドアサインＴＤＭＡ（Demand Assignment Time Division Multiple Access）通信を行う伝送システム、伝送システムの伝送制御方法、通信装置、および送信権管理部決定装置に関するものである。例えば、伝送帯域を共有して通信装置間の送受信を行う伝送システム、伝送システムの伝送制御方法、通信装置、および送信権管理部決定装置に関するものである。
【背景技術】
【０００２】
以下、従来のデマンドアサインＴＤＭＡ通信を行う通信装置と送信権を与える送信権管理装置とを備えた伝送システムの実施の形態について、図面を参照しながら説明する。
【０００３】
ＴＤＭＡ通信は、伝送帯域を時間的に分割して情報伝送用のタイムスロットを構成し、タイムスロットを情報の伝送を行う通信装置に割り当てる通信方式として広く知られている。この通信方式では、伝送路の基本周期であるＴＤＭＡフレームが多数のタイムスロットに時間的に分割されており、各通信装置がこれらのタイムスロットのいずれかを用いて相手の通信装置へ情報を伝送する。そして、相手の通信装置は、多数のタイムスロット中から自分宛てのタイムスロットを選択して情報を受信する。
【０００４】
ＴＤＭＡ通信では、複数の通信装置が同一のタイムスロットを同時に使用した場合、複数の信号が互いに衝突して正しい情報の伝送ができなくなる。このため、いずれか一つの通信装置が使用中のタイムスロットは、他の通信装置が使用しないようにする必要がある。
【０００５】
デマンドアサインＴＤＭＡ通信では、この対策として、個々の通信装置が情報伝送の発生毎に送信要求を送信権管理装置に発行し、送信権管理装置が空きスロットを選択して個々の通信装置に送信権を割り当てる（例えば、特許文献１参照）。これにより、複数の信号の衝突を回避している。
【０００６】
図１０は、従来例の、デマンドアサインＴＤＭＡ通信を行う通信システムの構成図である。
【０００７】
この通信システムは、通信装置５１１〜５１ｎ、送信権制御装置５２、通信装置５１１〜５１ｎと送信権制御装置５２とを接続する同軸伝送路５３で構成されている。
【０００８】
図１１は、図１０に示す通信システムのタイムフレームである。
【０００９】
タイムフレームは、通信装置５１１〜５１ｎが送信要求を送信する送信要求期間６１、送信権制御装置５２が割当てた送信権情報を送信する送信権通知期間６２、通信装置５１１〜５１ｎが他の通信装置５１１〜５１ｎと情報を伝送する情報伝送期間６３のフレームで構成されている。１つの通信装置に割当てられた他の通信装置との情報伝送期間が１つのフレームを構成しており、情報伝送期間６３は、各通信装置におけるこの情報伝送期間を示す複数のフレームで構成されている。ここでは、通信装置５１１に割当てられた通信装置５１１と通信装置５１２間の情報伝送期間を示すフレームを６４とする。
【００１０】
図１２は、図１０に示す通信システムの送信要求情報の構成である。
【００１１】
送信要求情報は、送信先情報７１（通信装置ＩＤ等）と、送信元情報７２（通信装置ＩＤ等）で構成されている。
【００１２】
図１３は、図１０に示す通信システムの割当情報の構成である。
【００１３】
割当情報は、割当てられた送信権の送信先情報８１（通信装置ＩＤ等）と、割当てられた送信権の送信元情報８２（通信装置ＩＤ等）と、割当てられた送信期間情報８３で構成されている。
【００１４】
以下に、図１０に示す通信システムで、通信装置５１１から通信装置５１２へ伝送を行う場合の、通信装置５１１、５１２と送信権制御装置５２の、それぞれにおける動作について説明する。
【００１５】
通信装置５１１は、送信先である通信装置５１２の送信先情報７１（通信装置ＩＤ等）と、送信元である自通信装置５１１の送信元情報７２から送信要求情報を生成する。そして、送信要求期間６１に、同軸伝送路５３を通して、その送信要求情報を送信権制御装置５２へ送信する。
【００１６】
送信権制御装置５２は同軸伝送路５３より各通信装置５１１〜５１ｎからの伝送情報を受信し、図１１に示す送信要求期間６１に受信した伝送情報から送信要求情報を抽出する。そして、送信先情報７１（この場合は通信装置５１２）と送信元情報７２（この場合は通信装置５１１）から、複数の通信装置間の伝送が互いに衝突しないように通信装置５１１〜５１ｎ（この場合は通信装置５１１）への送信権の割当処理を行う。
【００１７】
そして、送信権制御装置５２は、割当てた送信権から、送信先情報８１と送信元情報８２と送信期間情報８３とで構成される通信装置５１１〜５１ｎへの送信権情報を生成し、送信権通知期間６２に、同軸伝送路５３を通して、その送信権情報を通信装置５１１〜５１ｎへ送信する。
【００１８】
通信装置５１１は、送信権通知期間６２に、同軸伝送路５３から送信権情報を受信する。そして、送信先情報８１と送信元情報８２と送信期間情報８３で割当てられた情報伝送期間６３の内の通信装置５１１と通信装置５１２間の情報伝送期間６４に、通信装置５１２へ同軸伝送路５３を通して伝送情報を送信する。
【００１９】
通信装置５１２は、送信権通知期間６２に、同軸伝送路５３から送信権情報を受信する。そして、送信先情報８１と送信元情報８２と送信期間情報８３で割当てられた情報伝送期間６３の内の通信装置５１１と通信装置５１２間の情報伝送期間６４に、通信装置５１１からの伝送情報を受信する。
【００２０】
このようにして、通信装置５１１が送信要求を送信権制御装置５２に送信し、送信権制御装置５２が、その送信要求に基づいて、各通信装置間の伝送が互いに衝突しないように送信権の割当を行うことにより、各通信装置間での情報の伝送が行える。
【特許文献１】特開平２−１８３６４４号公報
【発明の開示】
【発明が解決しようとする課題】
【００２１】
しかしながら、デマンドアサインＴＤＭＡ通信システムで上記した従来の伝送制御方法を用いる場合、送信権制御装置と通信装置間の伝送路状態が悪い場合には、通信装置からの送信要求に対して送信権制御装置が割当てた送信権の送信が遅延してしまい、その結果、通信装置間の情報の伝送に遅延が生じてしまう。そして、映像データのように即時性が要求されるデータの場合には、送信すべき時間にデータを送信できず、再生データが欠落してしまうこともある。
【００２２】
また、従来の伝送制御方法を用いる場合には、通信システムの稼働中に、送信権制御装置と通信装置間の伝送路状態が悪化した場合に、通信装置からの送信要求に対して送信権制御装置が割当てた送信権の送信が遅くなり、その結果、伝送効率が低下するという課題もある。特に、分配器を含む同軸ケーブルを用いた構成のシステムでは、時間による伝送路状態の変化が大きく、このような問題が生じやすい。
【００２３】
本発明は、上記従来の課題を解決するもので、即時性のある通信が行え、伝送効率の高いデータ通信ができる伝送システム、伝送システムの伝送制御方法、通信装置、および送信権管理部決定装置を提供することを目的とする。
【課題を解決するための手段】
【００２４】
上述した課題を解決するために、第１の本発明は、
送信部、受信部、および各通信装置間で信号を送受信する時間帯を管理し割り当てる送信権管理部を有する複数の通信装置と、
前記複数の通信装置のうち、前記送信権管理部を動作させる一の通信装置を決定する送信権管理部決定装置と、
前記複数の通信装置および前記送信権管理部決定装置のそれぞれを互いに通信させる伝送路とを備え、
前記複数の通信装置のそれぞれは、
前記送信部および前記受信部を利用して、それぞれの他の通信装置との間の伝送路状態を検査する伝送路状態検査部と、
前記伝送路状態検査部で検査した伝送路状態検査結果を保持する伝送路状態保持部と、
前記伝送路状態検査結果を、前記送信部を利用して前記送信権管理部決定装置へ送信させる、伝送路情報送信制御部とを有し、
前記送信権管理部決定装置は、
前記複数の通信装置のそれぞれから、伝送路状態検査結果を受信する、伝送路情報受信部と、
前記伝送路状態検査結果に基づいて、前記送信権管理部を動作させる前記一の通信装置を決定する送信権管理部決定部と、
前記決定した一の通信装置の情報を、全ての通信装置に送信する送信権管理部情報送信部とを有する、伝送システムである。
【００２５】
第２の本発明は、
前記伝送路情報送信制御部は、前記伝送路状態検査結果を前記送信権管理部決定装置へ送信させる際に、他の通信装置へも送信させ、
前記決定した一の通信装置の送信権管理部は、各通信装置から受信した伝送路状態検査結果を利用して、各通信装置間で信号を送受信する時間帯を割り当てる、第１の本発明の伝送システムである。
【００２６】
第３の本発明は、
前記送信権管理部情報送信部は、前記複数の通信装置のそれぞれから受信した伝送路状態検査結果を前記決定した一の通信装置に送信し、
前記決定した一の通信装置の送信権管理部は、前記送信権管理部情報送信部から受信した前記伝送路状態検査結果を利用して、各通信装置間で信号を送受信する時間帯を割り当てる、第１の本発明の伝送システムである。
【００２７】
第４の本発明は、
前記複数の通信装置のうちの任意の一の通信装置が、前記送信権管理部決定装置を兼ねている、第１の本発明の伝送システムである。
【００２８】
第５の本発明は、
前記通信装置に電源が供給された際に、
前記伝送路状態検査部は、前記伝送路状態を検査し、
前記伝送路情報送信制御部は、その伝送路状態検査結果を前記送信権管理部決定装置へ送信させ、
前記送信権管理部決定部は、前記送信権管理部を動作させる前記一の通信装置を決定し直す、第１の本発明の伝送システムである。
【００２９】
第６の本発明は、
前記伝送路状態検査部は、所定の時間毎に、前記伝送路状態を検査し、
前記伝送路情報送信制御部は、その後、その伝送路状態検査結果を前記送信権管理部決定装置へ送信させ、
前記送信権管理部決定部は、前記送信権管理部を動作させる前記一の通信装置を決定し直す、第１の本発明の伝送システムである。
【００３０】
第７の本発明は、
前記複数の通信装置は、それぞれ、他の通信装置との情報伝送中における伝送エラー量を測定する伝送エラー測定部をさらに有し、
前記伝送路状態検査部は、前記送信権管理部が動作している通信装置との間の伝送エラー量が、予め設定された伝送エラー量を超えた際に、前記伝送路状態を検査し、
前記伝送路情報送信制御部は、その伝送路状態検査結果を前記送信権管理部決定装置へ送信させ、
前記送信権管理部決定部は、前記送信権管理部を動作させる前記一の通信装置を決定し直す、第１の本発明の伝送システムである。
【００３１】
第８の本発明は、
前記それぞれの他の通信装置との間の伝送路状態は、それぞれの他の通信装置との間の通信速度であり、
前記送信権管理部決定部は、他のそれぞれの通信装置との間の通信速度の合計値が最も大きい通信装置を、前記送信権管理部を動作させる前記一の通信装置と決定する、第１の本発明の伝送システムである。
【００３２】
第９の本発明は、
前記それぞれの他の通信装置との間の伝送路状態は、それぞれの他の通信装置との間の通信速度であり、
前記送信権管理部決定部は、各通信装置における、他のそれぞれの通信装置との間の通信速度のうちの最も遅い通信速度同士を比較し、その最も遅い通信速度の値が最も大きい通信装置を、前記送信権管理部を動作させる前記一の通信装置と決定する、第１の本発明の伝送システムである。
【００３３】
第１０の本発明は、
送信部、受信部、および各通信装置間で信号を送受信する時間帯を管理し割り当てる送信権管理部を有する複数の通信装置と、
前記複数の通信装置のそれぞれを互いに通信させる伝送路とを備え、
前記複数の通信装置のそれぞれは、
前記送信部および前記受信部を利用して、それぞれの他の通信装置との間の伝送路状態を検査する伝送路状態検査部と、
前記伝送路状態検査部で検査した伝送路状態検査結果を保持する伝送路状態保持部と、
前記伝送路状態検査結果を、前記送信部を利用して他のすべての通信装置へ送信させる、伝送路情報送信制御部と、
他のすべての通信装置のそれぞれから、伝送路状態検査結果を前記受信部を利用して取得する伝送路情報取得部と、
いずれの通信装置においても同一の基準で、前記取得した伝送路状態検査結果に基づいて、いずれの通信装置の送信権管理部が動作するかを決定する送信権管理部決定部とを有する、伝送システムである。
【００３４】
第１１の本発明は、
伝送路に接続される複数の通信装置のそれぞれが、他の通信装置との間の伝送路状態を検査するステップと、
前記複数の通信装置のそれぞれが、前記伝送路状態を検査した伝送路状態検査結果を、前記伝送路に接続される送信権管理部決定装置へ送信するステップと、
前記送信権管理部決定装置が、前記複数の通信装置のそれぞれから受信した前記伝送路状態検査結果に基づいて、前記複数の通信装置のうち、各通信装置間で信号を送受信する時間帯を割り当てさせる一の通信装置を決定するステップと、
前記送信権管理部決定装置が、前記決定した一の通信装置の情報を、全ての通信装置に送信するステップとを備えた、伝送システムの伝送制御方法である。
【００３５】
第１２の本発明は、
第１の本発明の伝送システムの、通信装置である。
【００３６】
第１３の本発明は、
第１の本発明の伝送システムの、送信権管理部決定装置である。
【００３７】
第１４の本発明は、
第１の本発明の伝送システムの通信装置の、
前記送信部、
前記受信部、
各通信装置間で信号を送受信する時間帯を管理し割り当てる前記送信権管理部、
それぞれの他の通信装置との間の伝送路状態を検査する前記伝送路状態検査部、
前記伝送路状態検査部で検査した伝送路状態検査結果を保持する前記伝送路状態保持部、
前記伝送路状態検査結果を前記送信権管理部決定装置へ送信させる前記伝送路情報送信制御部、としてコンピュータを機能させるためのプログラムである。
【００３８】
第１５の本発明は、
第１４の本発明のプログラムを担持した記録媒体であって、コンピュータで利用可能な記録媒体である。
【００３９】
第１６の本発明は、
第１の本発明の送信権管理部決定装置の、
前記複数の通信装置のそれぞれから伝送路状態検査結果を受信する前記伝送路情報受信部、
前記伝送路状態検査結果に基づいて前記送信権管理部を動作させる前記一の通信装置を決定する前記送信権管理部決定部、
前記決定した一の通信装置の情報を全ての通信装置に送信する前記送信権管理部情報送信部、としてコンピュータを機能させるためのプログラムである。
グラムである。
【００４０】
第１７の本発明は、
第１６の本発明のプログラムを担持した記録媒体であって、コンピュータで利用可能な記録媒体である。
【発明の効果】
【００４１】
本発明により、即時性のある通信が行え、伝送効率の高いデータ通信ができる伝送システム、伝送システムの伝送制御方法、通信装置、および送信権管理部決定装置を提供できる。
【発明を実施するための最良の形態】
【００４２】
以下、本発明の実施の形態を、図面を参照しながら説明する。
【００４３】
（実施の形態１）
図１は、本発明の実施の形態１の同軸伝送システムの構成ブロック図である。
【００４４】
本実施の形態１の同軸伝送システムは、通信装置１１１〜１１ｎ、送信権管理部決定装置１２、通信装置１１１〜１１ｎ間を接続する同軸伝送路１３で構成されている。なお、同軸伝送路は、本発明の伝送路の一例である。
【００４５】
通信装置１１１〜１１ｎは、それぞれ、他の通信装置１１１〜１１ｎからの信号を同軸伝送路１３を介して受信する受信部１４１、同軸伝送路１３へ他の通信装置１１１〜１１ｎへの信号を送信する送信部１４２、自通信装置以外の他の通信装置１１１〜１１ｎとの間での伝送路状態を検査する伝送路状態検査部１４３、伝送路状態検査部１４３に伝送路状態を検査する指示を行う伝送路状態検査制御部１４４、伝送路状態検査部１４３で検査した伝送路状態の結果情報を保持する伝送路状態保持部１４５を備えている。また、、伝送路状態検査部１４３で検査した通信装置の情報と、伝送路状態保持部１４５で保持している他の各通信装置との間の伝送路状態とから伝送路状態情報を生成する伝送路状態情報生成部１４６を備えている。なお、伝送路状態情報生成部１４６は、本発明の伝送路情報送信制御部の一例である。
【００４６】
また、通信装置１１１〜１１ｎは、それぞれ、各通信装置間で通信する時間帯を管理し割り当てを行う送信権管理部１４９を備えている。本実施の形態１の同軸伝送システムでは、１台の通信装置を送信権を管理する通信装置と決定し、その通信装置の送信権管理部１４９を動作させることにより、本実施の形態１の同軸伝送システムにおけるデマンドアサインＴＤＭＡ通信を実現する。
【００４７】
送信権管理部決定装置１２は、各通信装置１１１〜１１ｎからの信号を同軸伝送路１３を介して受信する伝送路情報受信部１５１、同軸伝送路１３へ各通信装置１１１〜１１ｎへの信号を送信する管理部情報送信部１５２、各通信装置１１１〜１１ｎ間の伝送路状態テーブルを作成する伝送路状態テーブル作成部１５３を備えている。また、伝送路状態テーブル作成部１５３で作成された伝送路状態テーブルに基づいて、自通信装置以外の通信装置との伝送路状態が最も良好と判断する通信装置１１１〜１１ｎを、送信権管理部１４９を動作させる一の通信装置と決定する送信権管理部決定部１５４を備えている。
【００４８】
図２は、本実施の形態１の同軸伝送システムの伝送路状態情報の構成である。
【００４９】
伝送路状態情報は、通信装置情報２１（通信装置ＩＤ等）と、通信装置間伝送路状態情報２２で構成されている。
【００５０】
以下に、本実施の形態１の同軸伝送システムの、送信権管理部１４９を動作させる通信装置を決定する際の、通信装置１１１〜１１ｎおよび送信権管理部決定装置１２のそれぞれにおける動作について説明する。
【００５１】
図３は、本実施の形態１の同軸伝送システムで、送信権管理部１４９を動作させる通信装置を決定する手順を示している。
【００５２】
図４は、送信権管理部決定装置１２の伝送路状態テーブル作成部１５３で作成される伝送路状態テーブルである。ここでは、伝送路状態の一例として、各通信装置間の伝送速度（単位：ｂｐｓ）を用いている。また、ここでは、通信装置が４台の構成としている。
【００５３】
まず、通信装置１１１〜１１ｎの電源が供給された時点（Ｓ１１）で、他のそれぞれの通信装置（電源が供給された通信装置が通信装置１１１の場合は、通信装置１１２〜１１ｎ）との間の伝送路状態の検査を行う（Ｓ１２）。そして、伝送路状態検査部１４３で検査した伝送路状態の結果情報を、伝送路状態保持部１４５に保持する（Ｓ１３）。
【００５４】
次に、伝送路状態情報生成部１４６は、伝送路状態検査部１４３で検査した通信装置を示す通信装置情報２１（通信装置ＩＤ等）と、伝送路状態保持部１４５で保持されている伝送路状態の結果情報に基づく通信装置間伝送路状態情報２２とで構成される図２に示すような伝送路状態情報を生成する（Ｓ１４）。
【００５５】
そして、送信部１４２を利用して、伝送路状態情報生成部１４６で生成した伝送路状態情報を同軸伝送路１３を介して送信権管理部決定装置１２へ送信する（Ｓ１５）。
【００５６】
そして、送信権管理部決定装置１２では、伝送路情報受信部１５１が、同軸伝送路１３を介して各通信装置１１１〜１１ｎから送信されてきた伝送路状態情報を受信する。そして、伝送路状態テーブル作成部１５３が、図４に示す伝送路状態テーブル（図４）を作成する（Ｓ１６）。
【００５７】
そして、送信権管理部決定部１５４は、伝送路状態テーブルに基づき、自通信装置以外の通信装置との伝送路状態が最も良好と判断する通信装置を、送信権管理部１４９を動作させる一の通信装置（図４の場合は通信装置１１２）と決定する（Ｓ１７）。
【００５８】
そして、管理部情報送信部１５２が、送信権管理部決定部１５４で決定した送信権管理部１４９を動作させる一の通信装置の情報（通信装置ＩＤ等）を、同軸伝送路１３を通して、各通信装置１１１〜１１ｎへ送信する。
【００５９】
その後、送信権管理部１４９を動作させることに決定した一の通信装置（図４の場合は通信装置１１２）の送信権管理部１４９が動作し、通信装置１１２は、通信装置１１１〜１１ｎ間の通信する時間帯を管理し、他の通信装置からの送信要求に応じて、各通信端末１１１〜１１ｎ間の通信のための時間帯の割り当てを行う。
【００６０】
ここで、伝送路状態検査部１４３が行う伝送路状態を検査する方法の一実施例を、通信装置１１１が検査元として行う場合について説明する。
【００６１】
通信装置１１１は、伝送路状態検査制御部１４４の指示により、伝送路状態検査部１４３から変調効率（変調方式と伝送帯域幅）が最も高い検査情報を送信部１４２を利用して同軸伝送路１３を通して、通信装置１１２〜１１ｎへ送信する。
【００６２】
通信装置１１２〜１１ｎでは、同軸伝送路１３から受信部１４１で検査情報を受信する。そして、伝送路状態検査部１４３が、受信した情報に誤りがないかの検査を行い、情報に誤りがない場合は「検査完了」を、情報に誤りがある場合は「検査未完了」を、検査結果情報として送信部１４２を利用して通信装置１１１へ送信する。
【００６３】
次に、通信装置１１１は、受信部１４１で通信装置１１２〜１１ｎからの検査結果情報を受信する。そして、検査結果情報が「検査完了」の場合には、伝送路状態検査部１４３は、伝送路状態保持部１４５に検査が完了した時点の変調効率を伝送路状態として保持させる。「検査未完了」の場合には、伝送路状態検査制御部１４４の指示により、伝送路状態検査部１４３から、変調効率を下げた検査情報を送信部１４２を利用して通信装置１１２〜１１ｎへ送信する。通信装置１１１は、「検査完了」の検査結果情報を受信するまで、この検査の処理を繰り返し行う。
【００６４】
なお、ここで示した検査方法は一例であり、適切な変調効率が検出できれば方法は問わない。また、この一例では、伝送路状態情報を変調効率としたが、単位時間当たりの伝送速度でも良く、伝送路状態が表現できる情報であれば良い。
【００６５】
次に、送信権管理部決定部１５４における、自通信装置以外の通信装置との伝送路状態が最も良好と判断する方法の実施例について説明する。
【００６６】
上記の本実施の形態１の説明においては、他のそれぞれの通信装置との伝送速度の合計値が最も大きい値となる通信装置を、自通信装置以外の通信装置との伝送路状態が最も良好な通信装置と判断している。図４に示す伝送路状態テーブルの内容の場合、検査元の通信端末に対する、他の通信装置との伝送速度の合計値は、通信装置１１１〜１１４に対して、それぞれ、１６０ｂｐｓ、１９０ｂｐｓ、１６５ｂｐｓ、１４０ｂｐｓであり、検査元を通信装置１１２とした場合の値が最も大きいので、「通信装置１１２が、自通信装置以外の通信装置との伝送路状態が最も良好な通信装置である」と判断している。
【００６７】
自通信装置以外の通信装置との伝送路状態が最も良好と判断する方法は、上記の方法に限定されるものではなく、伝送システムに応じた適切な方法で判断するようにすればよい。例えば、他の通信装置との伝送速度のうち、最も遅い伝送速度同士を比較し、その伝送速度が最も速い通信装置を「自通信装置以外の通信装置との伝送路状態が最も良好な通信装置である」と判断させるようにしてもよい。この判断方法に基づくと、図４に示す数値の場合には、他の通信装置との最も遅い伝送速度が５０ｂｐｓである通信装置１１２または通信装置１１３が「自通信装置以外の通信装置との伝送路状態が最も良好な通信装置である」と判断されることになる。
【００６８】
また、検査先の通信装置に通信が不能な通信装置が含まれる送信元の通信装置を除外することを条件としたり、通信装置間ごとの伝送される情報量も考慮して判断させるようにしてもよい。
【００６９】
以上のように、本実施の形態１の同軸伝送システムでは、それぞれの通信装置が、電源が供給された時点で通信装置間の伝送路状態を検査し、検査結果を通信装置が保持し、送信権管理部決定装置へ送信し、送信権管理部決定装置が、通信装置間の伝送路情報に基づいて、自通信装置以外の通信装置との伝送路状態が最も良好な通信装置を送信権管理部を動作させる一の通信装置と決定することにより、送信権管理装置と各通信装置間での伝送品質が向上し、各通信装置からの送信要求に対する送信権の割当が効率的に行われ、通信装置間で伝送効率の高い通信が行える。
【００７０】
（実施の形態２）
図５は、本発明の実施の形態２の同軸伝送システムの構成ブロック図である。なお、本発明の実施の形態１の同軸伝送システムと同じ機能を有する構成の部分には、同一の番号を付し、その説明を省略する。
【００７１】
通信装置１１１〜１１ｎは、それぞれ、実施の形態１の通信装置の構成に加えて、伝送路状態検査時間測定部３１を備えている。伝送路状態検査時間測定部３１は、伝送路状態検査制御部１４４が伝送路状態検査部１４３に伝送路状態の検査を開始させる指示を出す時間を計測する。
【００７２】
本実施の形態２の同軸伝送システムの伝送路状態情報は、図２に示す実施の形態１の伝送路状態情報と同一構成である。
【００７３】
以下に、本実施の形態２の同軸伝送システムの、送信権管理部１４９を動作させる通信装置を決定する際の、通信装置１１１〜１１ｎおよび送信権管理部決定装置１２のそれぞれにおける動作について説明する。
【００７４】
図６は、本実施の形態２の同軸伝送システムで、送信権管理部１４９を動作させる通信装置を決定する手順を示している。
【００７５】
なお、本実施の形態２の同軸伝送システムの送信権管理部決定装置１２の伝送路状態テーブル作成部１５３で作成される伝送路状態テーブルの構成は、本実施の形態１で示した図４のテーブルと同じ構成である。
【００７６】
まず、通信装置１１１〜１１ｎの電源が供給された時点、もしくは、伝送路状態検査時間測定部３１で計測する時間が検査間隔時間に達した時点（Ｓ３１）で、他のそれぞれの通信装置（電源が供給されたか、もしくは、検査間隔時間に達した通信装置が通信装置１１１の場合は、通信装置１１２〜１１ｎ）との間の伝送路状態の検査を行う（Ｓ３２）。
【００７７】
ここで、検査間隔時間とは、予め設定されている時間の長さであり、通信装置の電源が供給されている状態が継続している場合には、その所定の検査間隔時間ごとに、他の通信装置との間の伝送路状態の検査を行わせるものである。
【００７８】
そして、伝送路状態検査部１４３で検査した伝送路状態の結果情報を、伝送路状態保持部１４５に保持する（Ｓ３３）。
【００７９】
次に、伝送路状態情報生成部１４６は、伝送路状態検査部１４３で検査した通信装置を示す通信装置情報２１（通信装置ＩＤ等）と、伝送路状態保持部１４５で保持されている伝送路状態の結果情報に基づく通信装置間伝送路状態情報２２とで構成される図２のような伝送路状態情報を生成する（Ｓ３４）。
【００８０】
そして、送信部１４２を利用して、伝送路状態情報生成部１４６で生成した伝送路状態情報を同軸伝送路１３を介して送信権管理部決定装置１２へ送信する（Ｓ３５）。
【００８１】
そして、送信権管理部決定装置１２では、伝送路情報受信部１５１が、同軸伝送路１３を介して各通信装置１１１〜１１ｎから送信されてきた伝送路状態情報を受信する。そして、伝送路状態テーブル作成部１５３が、図４に示すような構成の伝送路状態テーブルを作成する（Ｓ３６）。
【００８２】
そして、送信権管理部決定部１５４は、伝送路状態テーブルに基づき、自通信装置以外の通信装置との伝送路状態が最も良好と判断する通信装置を、送信権管理部１４９を動作させる一の通信装置（図４の場合は通信装置１１２）と決定する（Ｓ３７）。
【００８３】
そして、管理部情報送信部１５２が、送信権管理部決定部１５４で決定した送信権管理部１４９を動作させる一の通信装置の情報（通信装置ＩＤ等）を、同軸伝送路１３を通して、各通信装置１１１〜１１ｎへ送信する。
【００８４】
なお、伝送路状態検査部１４３が行う伝送路状態を検査する方法には、実施の形態１で説明したのと同様の方法を用いることができる。
【００８５】
本実施の形態２の同軸伝送システムでは、定期的に伝送路状態の検査を行い、その時点で自通信装置以外の通信装置との伝送路状態が最も良好な通信装置の送信権管理部を動作させるようにするので、時間による伝送路状態の変化が大きいシステムでは、伝送路状態に応じて効率的な通信装置の送信権管理部を動作させることでき、実施の形態１の場合よりもさらに効率的な通信を実現することができる。
【００８６】
以上のように、本実施の形態２の同軸伝送システムでは、それぞれの通信装置が、電源が供給された時点、もしくは、所定の検査間隔時間ごとに、通信装置間の伝送路状態を検査し、検査結果を通信装置が保持し、送信権管理部決定装置へ送信し、送信権管理部決定装置が、通信装置間の伝送路情報に基づいて、自通信装置以外の通信装置との伝送路状態が最も良好な通信装置を送信権管理部を動作させる一の通信装置と決定することにより、送信権管理装置と各通信装置間での伝送品質が向上し、各通信装置からの送信要求に対する送信権の割当が効率的に行われ、通信装置間で伝送効率の高い通信が行える。
【００８７】
（実施の形態３）
図７は、本発明の実施の形態３の同軸伝送システムの構成ブロック図である。なお、本発明の実施の形態１の同軸伝送システムと同じ機能を有する構成の部分には、同一の番号を付し、その説明を省略する。
【００８８】
通信装置１１１〜１１ｎは、それぞれ、実施の形態１の通信装置の構成に加えて、伝送エラー測定部４１、伝送路検査閾値保持部４２、エラー検査制御部４３を備えている。
【００８９】
伝送エラー測定部４１は、送信権管理部１４９が動作している通信装置との間における情報伝送中の情報伝送エラーを測定する。伝送路検査閾値保持部４２は、自通信装置以外の通信装置との間の伝送エラーの閾値を保持している。エラー検査制御部４３は、伝送エラー測定部４１で測定された情報伝送エラー値と、伝送路検査閾値保持部４２で保持されている伝送エラーの閾値とを比較して伝送路状態の判定を行い、その判定結果に基づいて、伝送路状態検査部１４３が伝送路状態の検査を開始するよう、伝送路状態検査制御部１４４に指示を出す。
【００９０】
ここで、伝送路検査閾値保持部４２に保持されている伝送エラーの閾値とは、伝送路状態が悪いと判断する予め設定されている所定の値であり、情報伝送エラー値がこの閾値の値を超えた場合には、伝送路状態が悪化したと判断するものである。
【００９１】
本実施の形態３の同軸伝送システムの伝送路状態情報は、図２に示す実施の形態１の伝送路状態情報と同一構成である。
【００９２】
以下に、本実施の形態３の同軸伝送システムの、送信権管理部１４９を動作させる通信装置を決定する際の、通信装置１１１〜１１ｎおよび送信権管理部決定装置１２のそれぞれにおける動作について説明する。
【００９３】
図８は、本実施の形態３の同軸伝送システムで、送信権管理部１４９を動作させる通信装置を決定する手順を示している。
【００９４】
なお、本実施の形態３の同軸伝送システムの、送信権管理部決定装置１２の伝送路状態テーブル作成部１５３で作成される伝送路状態テーブルの構成は、本実施の形態１で示した図４のテーブルと同じ構成である。
【００９５】
通信装置１１１〜１１ｎの伝送エラー測定部４１は、送信権管理部１４９が動作している通信装置との間の情報伝送中の情報伝送エラーを測定する（Ｓ４１）。例えば、通信装置１１２の送信権管理部１４９が動作している場合に、通信装置１１１が通信装置１１２との通信中に、通信装置１１１の伝送エラー測定部４１が、その伝送中の伝送エラーを測定する。
【００９６】
次に、エラー検査制御部４３は、伝送エラー測定部４１で測定された伝送エラー値と、伝送路検査閾値保持部４２に予め保持されている伝送エラーの閾値とを比較し、伝送路状態の判定を行う（Ｓ４２）。そして、伝送エラー測定部４１で測定されたエラー値が閾値を超えた場合には、エラー検査制御部４３は、伝送路状態検査部１４３に伝送路状態の検査を開始させるよう、伝送路状態検査制御部１４４に指示を出す（Ｓ４３）。
【００９７】
そして、伝送路状態検査部１４３で検査した伝送路状態の結果情報を、伝送路状態保持部１４５に保持する（Ｓ４４）。
【００９８】
次に、伝送路状態情報生成部１４６は、伝送路状態検査部１４３で検査した通信装置を示す通信装置情報２１（通信装置ＩＤ等）と、伝送路状態保持部１４５で保持されている伝送路状態の結果に基づく通信装置間伝送路状態情報２２とで構成される図２のような伝送路状態情報を生成する（Ｓ４５）。
【００９９】
そして、送信部１４２を利用して、伝送路状態情報生成部１４６で生成した伝送路状態情報を同軸伝送路１３を介して送信権管理部決定装置１２へ送信する（Ｓ４６）。
【０１００】
そして、送信権管理部決定装置１２では、伝送路情報受信部１５１が、同軸伝送路１３を介して各通信装置１１１〜１１ｎから送信されてきた伝送路状態情報を受信する。そして、伝送路状態テーブル作成部１５３が、図４に示すような構成の伝送路状態テーブルを作成する（Ｓ４７）。
【０１０１】
そして、送信権管理部決定部１５４は、伝送路状態テーブルに基づき、自通信装置以外の通信装置との伝送路状態が最も良好と判断する通信装置を、送信権管理部１４９を動作させる一の通信装置と決定する（Ｓ４８）。
【０１０２】
そして、管理部情報送信部１５２が、送信権管理部決定部１５４で決定した送信権管理
部１４９を動作させる一の通信装置の情報（通信装置ＩＤ等）を、同軸伝送路１３を通して、各通信装置１１１〜１１ｎへ送信する。
【０１０３】
なお、伝送路状態検査部１４３が行う伝送路状態を検査する方法には、実施の形態１で説明したのと同様の方法を用いることができる。
【０１０４】
また、エラー検査制御部４３における、伝送エラー測定部４１で測定された情報伝送エラー値と閾値とを比較して行う伝送路状態の判定は、瞬間的な情報伝送エラー値で判定するようにしてもよいし、情報伝送エラー値の累積で判定するようにしてもよい。また、伝送路状態の判定は、送信時と受信時を別々に判定するようにしてもよいし、両方を合わせて判定するようにしてもよい。そして、伝送路状態を判定する閾値は、これらの判定手法に応じて適切な値を設定すればよい。例えば、閾値を、瞬間的なエラー値としたり、エラーの累積値としたり、送受信の閾値を別々に設けるようにしてもよい。
【０１０５】
また、ここでは、通信装置間の伝送状態が悪化して伝送路状態の検査を行う場合、伝送状態が悪化した以外の通信装置間の伝送路状態は検査を行わないこととしているが、ある通信装置間の伝送状態が悪化した際に、全ての通信装置間の伝送状態に問題があると判断し、伝送状態が悪化した以外の他の通信装置間の伝送路状態の検査も行わせるようにしてもよい。
【０１０６】
以上のように、本実施の形態３の同軸伝送システムでは、各通信装置が、送信権管理部が動作している通信装置との間の通信における情報伝送エラー値を測定し、その情報伝送エラーを予め設定している伝送エラーの閾値と比較して伝送路状態の判定を行い、伝送エラー値が閾値を超えた場合に、各通信装置間における伝送路状態を検査し、検査結果を通信装置が保持し、送信権管理部決定装置へ送信し、送信権管理部決定装置が、通信装置間の伝送路情報に基づいて、自通信装置以外の通信装置との伝送路状態が最も良好な通信装置を送信権管理部を動作させる一の通信装置と決定することにより、送信権管理装置と各通信装置間での伝送品質が向上し、各通信装置からの送信要求に対する送信権の割当が効率的に行われ、通信装置間で伝送効率の高い通信が行える。
【０１０７】
なお、実施の形態１〜３の同軸伝送システムでは、送信権管理部決定装置１２を、各通信装置１１１〜１１ｎとは別に設ける構成としたが、いずれかの通信装置が送信権管理部決定装置を兼ねる構成にしてもよい。
【０１０８】
（実施の形態４）
図９は、本発明の実施の形態４の同軸伝送システムの構成ブロック図である。なお、本発明の実施の形態１の同軸伝送システムと同じ機能を有する構成の部分には、同一の番号を付し、その説明を省略する。
【０１０９】
本実施の形態４の同軸伝送システムは、送信権管理部決定装置を必要としない構成であり、通信装置１１１〜１１ｎが、それぞれ、実施の形態１の通信装置の構成に加えて、伝送路状態テーブル作成部４７および送信権管理部決定部４８を備えている点が、実施の形態１の同軸伝送システムと異なる。
【０１１０】
伝送路状態テーブル作成部４７および送信権管理部決定部４８は、それぞれ、図１に示した実施の形態１の送信権管理部決定装置１２が有する、伝送路状態テーブル作成部１５３および送信権管理部決定部１５４と同じ処理を行なうものである。つまり、本実施の形態４では、通信装置１１１〜１１ｎのそれぞれが、実施の形態１の送信権管理部決定装置１２の機能を有している。
【０１１１】
ここで、各通信装置１１１〜１１ｎに備えられた送信権管理部決定部４８は、同一の判断基準によって、送信権管理部１４９を動作させる一の通信装置を決定するものである。したがって、同一の伝送路状態テーブルに基づいた場合には、どの通信装置で決定される一の通信装置も、同一の通信装置となる。
【０１１２】
次に、本実施の形態４の同軸伝送システムの、送信権管理部１４９を動作させる通信装置を決定する際の、通信装置１１１〜１１ｎのそれぞれにおける動作について説明する。
【０１１３】
本実施の形態４の同軸伝送システムにおける、送信権管理部１４９を動作させる通信装置を決定する手順は、実施の形態１で示した図３の手順と同じであるので、図３を用いて説明する。
【０１１４】
実施の形態１では、送信権管理部１４９を動作させる一の通信装置の決定を、送信権管理部決定装置１２が行っていたのに対し、本実施の形態４の場合には、各通信装置１１１〜１１ｎのそれぞれが行う。
【０１１５】
まず、通信装置１１１〜１１ｎの電源が供給された時点（Ｓ１１）で、他のそれぞれの通信装置（電源が供給された通信装置が通信装置１１１の場合は、通信装置１１２〜１１ｎ）との間の伝送路状態の検査を行う（Ｓ１２）。そして、伝送路状態検査部１４３で検査した伝送路状態の結果情報を、伝送路状態保持部１４５に保持する（Ｓ１３）。
【０１１６】
次に、伝送路状態情報生成部１４６は、伝送路状態検査部１４３で検査した通信装置を示す通信装置情報２１（通信装置ＩＤ等）と、伝送路状態保持部１４５で保持されている伝送路状態の結果情報に基づく通信装置間伝送路状態情報２２とで構成される図２に示すような伝送路状態情報を生成する（Ｓ１４）。
【０１１７】
そして、送信部１４２を利用して、伝送路状態情報生成部１４６で生成した伝送路状態情報を同軸伝送路１３を介して他の通信装置（通信装置１１１から送信する場合には、通信装置１１２〜１１ｎの全通信装置）へ送信する（Ｓ１５）。
【０１１８】
そして、各通信装置１１１〜１１ｎは、受信部１４１を利用して、同軸伝送路１３を介して他の通信装置１１１〜１１ｎから送信されてきた伝送路状態情報を受信する。そして、伝送路状態テーブル作成部４７が、図４に示すような構成の伝送路状態テーブルを作成する（Ｓ１６）。
【０１１９】
そして、送信権管理部決定部１５４は、伝送路状態テーブルに基づき、自通信装置以外の通信装置との伝送路状態が最も良好と判断する通信装置を、送信権管理部１４９を動作させる一の通信装置と決定する（Ｓ１７）。ここで、各通信装置１１１〜１１ｎの送信権管理部決定部１５４は、同一の判断基準により送信権管理部１４９を動作させる一の通信装置を決定するので、どの通信装置１１１〜１１ｎにおいても同一の通信装置が一の通信装置と決定される。（図４の場合には、どの通信装置においても、通信装置１１２を、送信権管理部１４９を動作させる一の通信装置と決定される。）
その後、送信権管理部１４９を動作させる一の通信装置に決定した通信装置の送信権管理部１４９が動作して、その一の通信装置が、本実施の形態４の同軸伝送システムの時分割送信権制御を行うようになる。
【０１２０】
実施の形態１〜３の場合には、送信権管理部決定装置１２が、決定した送信権管理部１４９を動作させる一の通信装置の情報を各通信装置に送信するのに対し、本実施の形態４では、各通信装置１１１〜１１ｎで一の通信装置として同一の通信装置が決定されるため、決定した一の通信装置の情報を他の通信装置に送信する必要がない。したがって、本実施の形態４では、実施の形態１〜３の場合に比べて、送信権管理部決定装置１２を設ける必要がなく、また、送信権管理部１４９を動作させる通信装置の決定の処理を迅速に行える。
【０１２１】
なお、各実施の形態は、同軸伝送システムについて説明したが、同軸ケーブルで接続されるシステムに限られるものではない。有線接続によりデマンドアサインＴＤＭＡ通信を行うシステムであれば、他のシステムにも適用できる。したがって、例えば、伝送路が光ファイバーなどであってもよい。
【０１２２】
本発明の伝送システムにより、通信装置間の伝送路情報に基づいて、自通信装置以外の通信装置との伝送路状態が最も良好な通信装置を送信権管理部が動作する通信装置に決定することにより、送信権管理部が動作する通信装置と各通信装置間での伝送品質が向上し、各通信装置から送信要求に対する送信権の割当が効率的に行われ、通信装置間で伝送効率の高いデータ通信が可能となり、ＶｏＩＰ等の即時性のある通信を実現できる。
【０１２３】
なお、本発明のプログラムは、上述した本発明の伝送システムの通信装置の、送信部、受信部、送信権管理部、伝送路状態検査部、伝送路状態保持部、伝送路情報送信制御部の機能をコンピュータにより実行させるためのプログラムであって、コンピュータと協働して動作するプログラムである。
【０１２４】
また、本発明の記録媒体は、上述した本発明の伝送システムの通信装置の、送信部、受信部、送信権管理部、伝送路状態検査部、伝送路状態保持部、伝送路情報送信制御部の機能をコンピュータにより実行させるためのプログラムを担持した記録媒体であり、コンピュータにより読み取り可能かつ、読み取られた前記プログラムが前記コンピュータと協働して利用される記録媒体である。
【０１２５】
また、本発明のプログラムは、上述した本発明の伝送システムの送信権管理部決定装置の、伝送路情報受信部、送信権管理部決定部、送信権管理部情報送信部の機能をコンピュータにより実行させるためのプログラムであって、コンピュータと協働して動作するプログラムである。
【０１２６】
また、本発明の記録媒体は、上述した本発明の伝送システムの送信権管理部決定装置の、伝送路情報受信部、送信権管理部決定部、送信権管理部情報送信部の機能をコンピュータにより実行させるためのプログラムを担持した記録媒体であり、コンピュータにより読み取り可能かつ、読み取られた前記プログラムが前記コンピュータと協働して利用される記録媒体である。
【０１２７】
また、本発明のプログラムの一利用形態は、コンピュータにより読み取り可能な記録媒体に記録され、コンピュータと協働して動作する態様であっても良い。
【０１２８】
また、記録媒体としては、ＲＯＭ等が含まれる。
【０１２９】
また、上述した本発明のコンピュータは、ＣＰＵ等の純然たるハードウェアに限らず、ファームウェアや、ＯＳ、更に周辺機器を含むものであっても良い。
【０１３０】
なお、以上説明した様に、本発明の構成は、ソフトウェア的に実現しても良いし、ハードウェア的に実現しても良い。
【産業上の利用可能性】
【０１３１】
通信装置間の伝送路情報により、自通信装置以外の通信装置との伝送路状態が最も良好な通信装置を送信権管理部が動作する通信装置に決定することにより、送信権管理部が動作する通信装置と各通信装置間での伝送品質が向上し、各通信装置からの送信要求に対する送信権の割当が効率的に行われ、通信装置間で伝送効率の高いデータ通信が可能となり、効率的な通信環境を提供することによって、高画質な画像等の高品質、大容量を効率的に伝送することが不可欠な用途にも適応できる。
【図面の簡単な説明】
【０１３２】
【図１】本発明の実施の形態１の同軸伝送システムの構成ブロック図
【図２】本発明の実施の形態１の伝送路状態情報の構成を示す図
【図３】本発明の実施の形態１および４の、送信権管理部が動作する通信装置を決定する手順を示す図
【図４】本発明の実施の形態１の通信装置１１１〜１１４間の伝送路状態テーブルを示す図
【図５】本発明の実施の形態２の同軸伝送システムの構成ブロック図
【図６】本発明の実施の形態２の、送信権管理部が動作する通信装置を決定する手順を示す図
【図７】本発明の実施の形態３の同軸伝送システムの構成ブロック図
【図８】本発明の実施の形態３の、送信権管理部が動作する通信装置を決定する手順を示す図
【図９】本発明の実施の形態４の同軸伝送システムの構成ブロック図
【図１０】従来例のデマンドアサインＴＤＭＡ通信を行う通信システムの構成図
【図１１】従来例のタイムフレームを示す図
【図１２】従来例の送信要求情報の構成を示す図
【図１３】従来例の割当情報の構成を示す図
【符号の説明】
【０１３３】
１１１〜１１ｎ、５１１〜５１ｎ  通信装置
１２  送信権管理部決定装置
１３、５３  同軸伝送路
１４１、４５  受信部
１４２、４６  送信部
１４３  伝送路状態検査部
１４４  伝送路状態検査制御部
１４５  伝送路状態保持部
１４６  伝送路状態情報生成部
１５１  伝送路情報受信部
１５２  管理部情報送信部
１５３、４７  伝送路状態テーブル作成部
１５４、４８  送信権管理部決定部
２１  通信装置情報
２２  通信装置間伝送路状態情報
３１  伝送路状態検査時間測定部
４１  伝送エラー測定部
４２  伝送路検査閾値保持部
４３  エラー検査制御部
５２  送信権制御装置
６１  送信要求期間
６２  送信権通知期間
６３  情報伝送期間
６４  通信装置５１１に割当てられた通信装置５１１と通信装置５１２間の情報伝送期間
７１、８１  送信先情報
７２、８２  送信元情報
８３  送信期間情報
【図１】
2006013897.tif 000003
【図２】
2006013897.tif 000004
【図３】
2006013897.tif 000005
【図４】
2006013897.tif 000006
【図５】
2006013897.tif 000007
【図６】
2006013897.tif 000008
【図７】
2006013897.tif 000009
【図８】
2006013897.tif 000010
【図９】
2006013897.tif 000011
【図１０】
2006013897.tif 000012
【図１１】
2006013897.tif 000013
【図１２】
2006013897.tif 000014
【図１３】
2006013897.tif 000015